(57)【要約】【課題】管状部材の姿勢を簡単な操作で変更できるようにする。【解決手段】管状部材２００は、一端および他端を有し、一端に第１開口２１５が形成され、他端に第２開口２２５が形成された管状の形状を有し、診療によって生じた廃液を一方の開口から吸い込む管本体部と、管本体部の一端側且つ管本体部の外周面に設けられ、第１開口２１５に向かうに従い外径が小さくなる第１先端部２１２と、管本体部の他端側且つ管本体部の外周面に設けられ、第２開口２２５に向かうに従い外径が小さくなる第２先端部２２２と、を備える。【選択図】図３
2014226224.tif 000002
【特許請求の範囲】
【請求項１】
一端および他端を有し、当該一端および当該他端のそれぞれに開口が形成された管状の形状を有し、診療によって生じた廃液を一方の開口から吸い込む管本体部と、
前記管本体部の前記一端側且つ当該管本体部の外周面に設けられ、当該一端側に形成された前記開口に向かうに従い外径が小さくなる第１テーパ部と、
前記管本体部の前記他端側且つ当該管本体部の外周面に設けられ、当該他端側に形成された前記開口に向かうに従い外径が小さくなる第２テーパ部と、
を備える管状部材。
【請求項２】
管状に形成され、診療によって生じた廃液を吸い込む管状部材と、
筒状に形成され、内周面を備え、前記管状部材に取り付けられ、当該内周面の内側を廃液が通る取り付け部材と、を備え、
前記管状部材は、
一端および他端を有し、当該一端および当該他端のそれぞれに開口が形成された管状形状を有する管本体部と、
前記管本体部の前記一端側且つ当該管本体部の外周面に設けられ、当該一端側に形成された前記開口に向かうに従い外径が小さくなる第１テーパ部と、
前記管本体部の前記他端側且つ当該管本体部の外周面に設けられ、当該他端側に形成された前記開口に向かうに従い外径が小さくなる第２テーパ部と、を備え、
前記取り付け部材は、前記管状部材における前記第１テーパ部および前記第２テーパ部のそれぞれに取り付け可能に構成されること
を特徴とする吸引用器具。
【請求項３】
前記取り付け部材の前記内周面の内側には、吸引方向下流側に向かっての固形物の移動を規制する規制部が設けられ、
前記管状部材の内部には、吸引方向下流側に向かっての固形物の移動を規制する規制部は設けられていないこと
を特徴とする請求項２記載の吸引用器具。
【請求項４】
前記管状部材における前記第１テーパ部および前記第２テーパ部のそれぞれを挿入することが可能に構成され、当該管状部材を支持する支持部材を更に備え、
前記管状部材は、前記支持部材に前記第１テーパ部が挿入された状態と、当該支持部材に前記第２テーパ部が挿入された状態とで、当該支持部材から露出する部分の形状が異なるように構成されていること
を特徴とする請求項２記載の吸引用器具。
【請求項５】
診療に用いられる診療用器具と、
前記診療によって生じた廃液の吸引に用いられる吸引用器具と、
前記吸引用器具によって吸引された廃液が収容される収容部と、を備え、
前記吸引用器具が、請求項１に記載の管状部材を含んで構成され、または、請求項２乃至４のいずれか１項に記載の吸引用器具を含んで構成されること
を特徴とする診療用装置。
【発明の詳細な説明】
【技術分野】
【０００１】
本発明は、管状部材、吸引用器具および診療用装置に関する。
【背景技術】
【０００２】
例えば、特許文献１には、バキュームチップと、バキュームチップの先端部に装着するチップゴムと、バキュームチップの後端部が気密に差し込まれる把持部とを備える歯科用バキュームシリンジが開示されている。
【先行技術文献】
【特許文献】
【０００３】
【特許文献１】特開２０００−２２９０９０号公報
【発明の概要】
【発明が解決しようとする課題】
【０００４】
歯科等では、一般的に、診療によって生じた廃液を、管状部材を用いて吸引する。ここで、例えば吸引作業を行う対象の違いに応じて管状部材の姿勢を変更することで、吸引作業の作業効率が向上する場合がある。その一方で、管状部材の姿勢を変更できても、管状部材の姿勢を変更する際の操作が複雑な場合には、吸引作業の作業効率が逆に低下するおそれがある。
【０００５】
本発明は、管状部材の姿勢を簡単な操作で変更できるようにすることを目的とする。
【課題を解決するための手段】
【０００６】
かかる目的のもと、本発明が適用される管状部材は、一端および他端を有し、当該一端および当該他端のそれぞれに開口が形成された管状の形状を有し、診療によって生じた廃液を一方の開口から吸い込む管本体部と、前記管本体部の前記一端側且つ当該管本体部の外周面に設けられ、当該一端側に形成された前記開口に向かうに従い外径が小さくなる第１テーパ部と、前記管本体部の前記他端側且つ当該管本体部の外周面に設けられ、当該他端側に形成された前記開口に向かうに従い外径が小さくなる第２テーパ部と、を備える。
【０００７】
また、他の観点から捉えると、本発明が適用される吸引用器具は、管状に形成され、診療によって生じた廃液を吸い込む管状部材と、筒状に形成され、内周面を備え、前記管状部材に取り付けられ、当該内周面の内側を廃液が通る取り付け部材と、を備え、前記管状部材は、一端および他端を有し、当該一端および当該他端のそれぞれに開口が形成された管状形状を有する管本体部と、前記管本体部の前記一端側且つ当該管本体部の外周面に設けられ、当該一端側に形成された前記開口に向かうに従い外径が小さくなる第１テーパ部と、前記管本体部の前記他端側且つ当該管本体部の外周面に設けられ、当該他端側に形成された前記開口に向かうに従い外径が小さくなる第２テーパ部と、を備え、前記取り付け部材は、前記管状部材における前記第１テーパ部および前記第２テーパ部のそれぞれに取り付け可能に構成されることを特徴とする。
ここで、前記取り付け部材の前記内周面の内側には、吸引方向下流側に向かっての固形物の移動を規制する規制部が設けられ、前記管状部材の内部には、吸引方向下流側に向かっての固形物の移動を規制する規制部は設けられていないことを特徴とすることができる。この場合、管状部材の内部に固形物が堆積するのを抑制することができる。
また、前記管状部材における前記第１テーパ部および前記第２テーパ部のそれぞれを挿入することが可能に構成され、当該管状部材を支持する支持部材を更に備え、前記管状部材は、前記支持部材に前記第１テーパ部が挿入された状態と、当該支持部材に前記第２テーパ部が挿入された状態とで、当該支持部材から露出する部分の形状が異なるように構成されていることを特徴とすることができる。この場合、例えば診療の内容や患者の体格等に合わせて吸引用器具の全体形状を変更することが可能になる。
【０００８】
さらに、他の観点から捉えると、本発明が適用される診療用装置は、診療に用いられる診療用器具と、前記診療によって生じた廃液の吸引に用いられる吸引用器具と、前記吸引用器具によって吸引された廃液が収容される収容部と、を備え、前記吸引用器具が、上記の管状部材を含んで構成され、または、上記のいずれかの吸引用器具を含んで構成されることを特徴とする。
【発明の効果】
【０００９】
本発明によれば、管状部材の姿勢を簡単な操作で変更することができる。
【図面の簡単な説明】
【００１０】
【図１】本実施形態にかかる歯科用診療装置の全体構成を示した斜視図である。
【図２】サクションシリンジの斜視図である。
【図３】本実施形態の管状部材の構成を説明するための図である。
【図４】管状部材における端部の形状を説明するための図である。
【図５】覆い部材の構成を説明するための図である。
【図６】把持部材に対して管状部材を取り付ける際の状態、および管状部材に対して覆い部材を取り付ける際の状態を説明するための図である。
【図７】サクションシリンジの全体形状を説明するための図である。
【図８】管状部材の他の構成例を示した図である。
【発明を実施するための形態】
【００１１】
以下、添付図面を参照して、本発明の実施形態について説明する。
図１は、本実施形態にかかる歯科用診療装置の全体構成を示した斜視図である。
同図に示すように、本実施形態の歯科用診療装置１では、床面の上に、診療台２が設けられている。診療台２は、基台２ａと、基台２ａにより支持され昇降可能に設けられた座板２ｂと、一端が座板２ｂに取り付けられこの一端を中心に回転可能に設けられた背板２ｃと、背板２ｃに取り付けられ患者の頭を支えるヘッドレスト２ｄとから構成されている。
【００１２】
さらに、本実施形態の歯科用診療装置１では、診療用装置の一例であって、診療台２の脇に、医師用のトレーテーブル３が設けられるとともに、医師用のインスツルメントホルダ１０が設けられている。さらに、本実施形態では、診療台２を挟みトレーテーブル３の反対側に、アシスタント用のインスツルメントホルダ４が設けられている。また、本実施形態では、光源を備えたデンタルライト６ａ、デンタルライト６ａを支持するアーム６ｂ、アーム６ｂを支持する支柱６ｃが設けられている。
【００１３】
なお、医師用のインスツルメントホルダ１０及びアシスタント用のインスツルメントホルダ４には、歯科用の診療用器具（インスツルメント）１１が抜差し自在に保持される（図１では、アシスタント用の診療用器具１１のみを図示）。ここで、医師用の診療用器具１１としては、例えば、エアタービンハンドピース、マイクロモータハンドピース、スケーラ、スリーウェーシリンジ、口腔内カメラを挙げることができる。
【００１４】
また、アシスタント用の診療用器具１１としては、例えば、患者の口腔内の唾液、血液、切削屑など（以下、「廃液」と称することがある）を吸引する吸引用器具を挙げることができる。なお、図１では、吸引用器具として機能する、サクションシリンジ（バキュームシリンジ）１００、サライバエジェクタ１５０が、インスツルメントホルダ４により保持されている。なお、この吸引用器具は、コンプレッサーやポンプなどの不図示の吸気源に接続されており、この吸気源にて吸気が行われることで、上記廃液の吸引を行う。
【００１５】
また、本実施形態では、診療台２の脇に、患者がうがいを行う際に用いるコップに対して水を供給する供給装置（スピットン装置）５が設けられている。この供給装置５には、ベースユニット５１、ベースユニット５１の上に設置され患者の口腔内から排出された廃液を受ける廃液受け部（ベースン）５２、廃液受け部５２の脇に設けられたコップに対し水を供給するコップ用給水部５３、清掃用の水を廃液受け部５２に供給する清掃用給水部５４が設けられている。
【００１６】
さらに、図示は省略するが、本実施形態の供給装置５では、ベースユニット５１の内部に、廃液を収容する収容部の一例としての収容容器（サクションタンク）が設けられている。この収容容器には、上記吸引用器具（サクションシリンジ１００、サライバエジェクタ１５０）によって吸引された廃液（患者の口腔内から吸引された廃液）が収容される。
【００１７】
図２は、サクションシリンジ１００の斜視図である。
本実施形態のサクションシリンジ１００には、同図に示すように、円筒状の部材により構成されアシスタントによって把持される支持部材の一例としての把持部材１１０が設けられている。把持部材１１０の外周面には、把持部材１１０の軸方向に沿ってスライド移動可能なスライド部材１１１が設けられている。
また、把持部材１１０には、把持部材１１０の軸方向に沿って外部に開口する開口部１１５が設けられている（後述する図６も参照）。そして、把持部材１１０には、開口部１１５から軸方向に沿って把持部材１１０の内部へ延び、吸引された廃液が通る廃液通過路（不図示）が形成されている。
【００１８】
把持部材１１０の内部において廃液通過路上には、把持部材１１０の軸方向と直交する関係の回転軸を中心に回転可能に設けられ、この廃液通過路を絞りあるいは廃液通過路の断面積を拡げる弁体（不図示）が設けられている。そして、本実施形態では、スライド部材１１１のスライドと弁体の回転とが連動するようになっており、本実施形態では、スライド部材１１１を図中上方にスライド移動させると廃液通過路の断面積が拡がり、スライド部材１１１を図中下方にスライド移動させると廃液通過路が絞られるようになる。これにより、本実施形態では、スライド部材１１１を図中上方に移動させると吸引量が増加し、スライド部材１１１を図中下方に移動させると吸引量が減少する。
【００１９】
また、本実施形態のサクションシリンジ１００には、図２に示すように、把持部材１１０の開口部１１５に一方の端部が挿入され、患者の口腔内に溜まった廃液（廃液溜まり部に溜まった廃液）を、他方の端部から吸い込む管状部材２００が設けられている。
【００２０】
次に、管状部材２００について説明する。図３は、本実施形態の管状部材２００の構成を説明するための図である。図３（ａ）は、管状部材２００の正面図を示しており、図３（ｂ）は、図３（ａ）の管状部材２００をＩＩＩＢ方向から見た図を示している。また、図４は、管状部材２００における端部の形状を説明するための図である。図４（ａ）は、図３（ａ）におけるＩＶＡ部の拡大図を示しており、図４（ｂ）は、図３（ａ）におけるＩＶＢ部の拡大図を示している。
【００２１】
管状部材２００は、ステンレス等の金属材料により形成される円筒形状の部材である。本実施形態では、管状部材２００に対して曲げ加工が施されており、管状部材２００には、曲げ加工部２５０が設けられた構成となっている。これにより、本実施形態の管状部材２００は、略Ｌ字状の形状を有するようになっている。
【００２２】
また、本実施形態では、管状部材２００に対して曲げ加工が施されることによって、曲げ加工部２５０から第１方向（図３（ａ）において下方向）へ延びる第１延伸部２１０と、曲げ加工部２５０から第１方向と交差する第２方向（図３（ａ）において右上方向）へ延びる第２延伸部２２０とが設けられた構成となっている。なお、本実施形態では、第１延伸部２１０と第２延伸部２２０とがなす角度が鈍角（この例では、約１１０°）となるように、管状部材２００に対して曲げ加工が施されている。
【００２３】
本実施の形態の管状部材２００では、第１延伸部２１０の先端側（曲げ加工部２５０とは反対側）に、外部に向けて開口する第１開口２１５が形成されている。同様に、第２延伸部２２０の先端側（曲げ加工部２５０とは反対側）に、外部に向けて開口する第２開口２２５が形成されている。
なお、本実施形態では、第１延伸部２１０と第２延伸部２２０とにより、管本体部が構成されている。
【００２４】
また、本実施形態の管状部材２００において、第１延伸部２１０は、円筒形状を有し、曲げ加工部２５０から第１方向（図３（ａ）において下方向）に延びる第１円筒部２１１と、円筒形状を有し、第１円筒部２１１の先端側から第１開口２１５側に延びる第１先端部２１２とを有している。ここで、第１先端部２１２は、第１テーパ部の一例であって、第１先端部２１２には、第１円筒部２１１側から第１開口２１５に向かうに従い外周面の直径を小さくするテーパが付与されている。
【００２５】
同様に、本実施形態の管状部材２００において、第２延伸部２２０は、円筒形状を有し、曲げ加工部２５０から第２方向（図３（ａ）において右上方向）に延びる第２円筒部２２１と、円筒形状を有し、第２円筒部２２１の先端側から第２開口２２５側に延びる第２先端部２２２とを有している。ここで、第２先端部２２２は、第２テーパ部の一例であって、第２先端部２２２には、第１先端部２１２と同様に、第２円筒部２２１側から第２開口２２５に向かうに従い外周面の直径を小さくするテーパが付与されている。
【００２６】
ここで、本実施形態では、図３（ａ）に示すように、曲げ加工部２５０から第１延伸部２１０における第１開口２１５までの長さＤ１は、曲げ加工部２５０から第２延伸部２２０における第２開口２２５までの長さＤ２よりも長くなるように、管状部材２００に対して、長手方向の中央部からずれた位置に曲げ加工が施されている（Ｄ１＞Ｄ２）。
【００２７】
また、図４（ａ）に示すように、本実施形態の管状部材２００では、第１延伸部２１０において、第１円筒部２１１の外径をＣ１とし、第１先端部２１２の先端側の外径（第１開口２１５の直径）をＣ２とすると、Ｃ１はＣ２よりも大きくなっている（Ｃ１＞Ｃ２）。
さらに、図４（ｂ）に示すように、第２延伸部２２０における第２円筒部２２１の外径をＣ３、第２延伸部２２０における第２先端部２２２の先端部の外径（第２開口２２５の直径）をＣ４とすると、Ｃ３はＣ４よりも大きくなっている（Ｃ３＞Ｃ４）。
【００２８】
本実施形態の管状部材２００では、第１延伸部２１０における第１先端部２１２と第２延伸部２２０における第２先端部２２２とは、等しい形状を有している。
そして、本実施の形態の管状部材２００では、第１延伸部２１０における第１円筒部２１１の外径Ｃ１と、第２延伸部２２０における第２円筒部２２１の外径Ｃ３とは等しくなっている（Ｃ１＝Ｃ３）。さらに、第１延伸部２１０における第１先端部２１２の先端部の外径Ｃ２と、第２延伸部２２０における第２先端部２２２の先端部の外径Ｃ４とは等しくなっている（Ｃ２＝Ｃ４）。
【００２９】
なお、本実施形態の管状部材２００の両端部（第１延伸部２１０の端部および第２延伸部２２０の端部）には、廃液の吸引に伴って吸引される補綴物や治療に用いた脱脂綿などの管状部材２００内部への進入を規制するような部材は設けられていない。
これにより、本実施形態の管状部材２００では、図３（ｂ）に示すように、第１延伸部２１０の内部には、第１円筒部２１１の内部から第１先端部２１２の内部を介して第１開口２１５まで延びる円柱状の空間が形成されている。また、図示は省略するが、第２延伸部２２０の内部においても、第１延伸部２１０と同様に、第２円筒部２２１の内部から第２先端部２２２の内部を介して第２開口２２５まで延びる円柱状の空間が形成されている。
【００３０】
次に、覆い部材１３０について説明する。
本実施形態の覆い部材１３０は、取り付け部材の一例であって、円筒状の部材により構成され、管状部材２００の先端部に対し被せられる形で、管状部材２００に対して固定されている。付言すると、覆い部材１３０の内部に対して管状部材２００の先端部が挿入されることで、管状部材２００に対する覆い部材１３０の固定が行われている。
本実施形態においては、管状部材２００における第１延伸部２１０側および第２延伸部２２０側の双方に対して、覆い部材１３０を取り付けることが可能になっている。この例では、図２に示したように、管状部材２００における第２延伸部２２０の第２先端部２２２に対して覆い部材１３０が取り付けられ、固定されている。
【００３１】
覆い部材１３０は、シリコーンゴムやフッ素ゴムなどのゴム材や、樹脂材料により構成され、管状部材２００よりも軟質の材料により構成されている。ここで、覆い部材１３０を取り付けない場合は、患者の口腔内に、金属製の管状部材２００が直接入りこむ形となる。かかる場合、金属製の管状部材２００の先端部が、患者の口腔内に直接接触する。覆い部材１３０を取り付ける場合、金属製の管状部材２００が患者の口腔内に直接接触することが避けられ、軟質の覆い部材１３０が、患者の口腔内に接触するようになる。
【００３２】
なお、本実施形態では、金属製の管状部材２００に対して覆い部材１３０を取り付けた場合を一例に説明したが、管状部材２００を樹脂材料により構成し、樹脂材料により構成された管状部材２００に対して、ゴム材などにより構成された覆い部材１３０（管状部材２００よりも軟質の覆い部材１３０）を取り付ける構成としてもよい。この場合、患者の口腔内に対し、管状部材２００よりも軟質の覆い部材１３０が接触するようになる。
【００３３】
図５は、覆い部材１３０の構成を説明するための図である。図５（ａ）は、覆い部材１３０の斜視図であって、図２の矢印Ｖ方向から覆い部材１３０を眺めた場合の斜視図である。図５（ｂ）は、図５（ａ）の覆い部材１３０を後述するＳ方向から眺めた場合の図である。
図５（ａ）に示すように、本実施形態の覆い部材１３０には、円筒状に形成されるとともに基体としての役割を果たし、内部（内周面の内側）を廃液が通る筒状部１３１が設けられている。ここで、この筒状部１３１では、一方の端部側に、廃液が入り込む入口側開口１３２が形成され、他方の端部側に、廃液の排出に用いられる排出用開口１３５が形成されている。
【００３４】
なお、本実施形態では、管状部材２００に対して覆い部材１３０が取り付けられる際、排出用開口１３５側から、覆い部材１３０の内部に、管状部材２００がまず挿入される。その後、管状部材２００は、入口側開口１３２側に向かって移動していく。そして、管状部材２００の覆い部材１３０への挿入がある程度行われると、覆い部材１３０内へ管状部材２００が十分に挿入された状態となり、管状部材２００に対する覆い部材１３０の取り付けが終了する。
【００３５】
ここで、筒状部１３１の両端面のうちの、入口側開口１３２が設けられている側の端面１３３は、筒状部１３１の軸方向と直交する面となっておらず、この軸方向に対して傾斜した状態で配置されている。これにより、本実施形態では、端面１３３が筒状部１３１の軸方向と直交する関係で配置されている場合に比べ、入口側開口１３２が大きくなっている。
【００３６】
さらに説明すると、本実施形態では、入口側開口１３２が設けられている側の端部が斜めにカットされた形状となっており、これにより、入口側開口１３２が略楕円状となっている。ここで、入口側開口１３２がこのように楕円状となっていると、図中矢印Ｘ方向からも、筒状部１３１の内部を視認できるようになり、ユーザが筒状部１３１の内部を確認する際の利便性が向上する。ここで、端面１３３が筒状部１３１の軸方向と直交する関係で配置され、入口側開口１３２が円形に形成されている場合は、図中矢印Ｓ方向からのみ、筒状部１３１の内部の確認ができるようになる。
【００３７】
また、本実施形態では、入口側開口１３２が設けられている側の端部が斜めにカットされていることによって、図５（ａ）に示すように、覆い部材１３０の先端部の一部（図中下側の部分）が、先端部の他の部分（図中、上側の部分）よりも先方に伸びており、本実施形態では、覆い部材１３０の先端部且つ下部に、覆い部材１３０の先方に向かって突出した突出片１３６が設けられた構成となっている。
【００３８】
また、本実施形態の覆い部材１３０では、筒状部１３１の内部に（筒状部１３１の内周面の内側に）、吸引された固形物の吸引方向下流側への移動（図中右上方向に向かっての移動）を規制する規制部４００が設けられている。付言すると、入口側開口１３２から入った固形物が排出用開口１３５に向かうことを規制する規制部４００が設けられている。さらに説明すると、本実施形態では、予め定められたサイズを超える固形物の吸引方向下流側への移動を規制する規制部４００が設けられている。ここで、診療中、補綴物や、治療に用いた脱脂綿などの固形物が吸引されることが起こりうる。本実施形態では、この場合、規制部４００にこの固形物が引っかかるようになり、固形物が吸引されることが防止される。なお、廃液に含まれる液体成分や小さい固形物については、規制部４００を通過し、収容容器へ収容される。
【００３９】
本実施形態における規制部４００は、図５（ｂ）に示すように、筒状部１３１の軸方向と直交する面における断面形状が十字形となるように形成されている。
より具体的に説明すると、本実施形態の規制部４００は、図５（ｂ）に示すように、図中上下方向に沿って配置され且つ板状に形成された第１板状部材４１０と、図中左右方向に沿って配置され且つ板状に形成された第２板状部４２０とから構成されている。
【００４０】
ここで、本実施形態では、第１板状部材４１０の両端部（上端部、下端部）が筒状部１３１の内周面に接続されることによって、図５（ｂ）に示すように、廃液の通過路が分断（区画）された状態となっている。また、本実施形態では、第２板状部材４２０の両端部（右端部、左端部）が筒状部１３１の内周面に接続されることによっても、廃液の通過路が分断（区画）された状態となっている。
【００４１】
また、本実施形態では、第１板状部材４１０および第２板状部材４２０は、筒状部１３１の径方向における中央部にて交わっている。これにより、本実施形態では、筒状部１３１の径方向における中央部を中心として、４つの板状部材が放射状に設けられた構成となっている。なお、本実施形態の覆い部材１３０は、射出成形により形成された成形品であり、規制部４００（第１板状部材４１０、第２板状部材４２０）、および、筒状部１３１は、一体で形成されている。
【００４２】
さらに、説明すると、本実施形態では、図５（ａ）に示すように、覆い部材１３０の外部から見える箇所に、規制部４００が設けられた構成となっている。より具体的には、図５（ａ）に示すように、規制部４００が露出した状態となっている。さらに、説明すると、本実施形態では、入口側開口１３２を通じ、規制部４００が見えるようになっている。ここで、規制部４００が外部から見える箇所にあると、固形物が規制部４００に引っ掛かっている場合に、この固形物を確認しやすくなる。また、この場合、規制部４００に引っ掛かった固形物の除去を行いやすくなる。
【００４３】
続いて、把持部材１１０に対する管状部材２００の取り付け、および管状部材２００に対する覆い部材１３０の取り付けに関して説明する。
図６は、把持部材１１０に対して管状部材２００を取り付ける際の状態、および管状部材２００に対して覆い部材１３０を取り付ける際の状態を説明するための図である。図６（ａ）は、把持部材１１０に対して管状部材２００を取り付ける際の状態を示しており、図６（ｂ）は、管状部材２００に対して覆い部材１３０を取り付ける際の状態を示している。
【００４４】
ここで、上述したように、本実施形態の管状部材２００においては、第１延伸部２１０における第１先端部２１２の形状と、第２延伸部２２０における第２先端部２２２の形状とが等しくなっている。これにより、本実施形態では、管状部材２００における第１延伸部２１０側と第２延伸部２２０側とを、それぞれ把持部材１１０に取り付けることが可能になっている。さらに、本実施形態では、管状部材２００における第１延伸部２１０側と第２延伸部２２０側との各々に対して、覆い部材１３０を取り付けることが可能になっている。
ここでは、管状部材２００における第１延伸部２１０側を把持部材１１０に取り付け、また管状部材２００における第２延伸部２２０側に覆い部材１３０を取り付ける例について説明する。
【００４５】
把持部材１１０に対する管状部材２００の取り付けは、図６（ａ）に示すように、把持部材１１０の開口部１１５側から、把持部材１１０の内部に、管状部材２００の先端部を挿入する。図６（ａ）に示す例では、管状部材２００のうち第１延伸部２１０側を、把持部材１１０の内部に挿入する。これにより、把持部材１１０の内側に管状部材２００の第１延伸部２１０が入り込み、把持部材１１０に対して管状部材２００が取り付けられるようになる。
【００４６】
ここで、上述したように、本実施形態の管状部材２００では、第１延伸部２１０における第１先端部２１２に、第１円筒部２１１側から第１開口２１５に向かうにつれてその外径が小さくなるようにテーパが付与されている。
これにより、把持部材１１０に管状部材２００を取り付けるに際して、本構成を有しない場合と比較して、把持部材１１０の開口部１１５に対して管状部材２００の第１延伸部２１０を挿入しやすくなっている。
【００４７】
また、一般に、診療中等において把持部材１１０に対する管状部材２００の向きを変更する場合がある。このような場合においても、第１延伸部２１０における第１先端部２１２に上述したようなテーパが付与されることで、本構成を有しない場合と比較して、把持部材１１０に対して管状部材２００を回転させやすくなっている。これにより、把持部材１１０に対する管状部材２００の向きを変更しやすくなり、本構成を採用しない場合と比較して、サクションシリンジ１００（図２参照）の操作性を向上させることができる。
【００４８】
続いて、管状部材２００に対する覆い部材１３０の取り付けは、図６（ｂ）に示すように、覆い部材１３０の排出用開口１３５側から、覆い部材１３０の内部に、管状部材２００の先端部を挿入する。図６（ｂ）に示す例では、管状部材２００のうち第２延伸部２２０側を、覆い部材１３０の内部に挿入する。これにより、覆い部材１３０の内側に管状部材２００の第２延伸部２２０が入り込み、管状部材２００に対して覆い部材１３０が取り付けられるようになる。
【００４９】
なお、本実施形態では、覆い部材１３０に挿入される管状部材２００の先端部の外径（この例では、第２延伸部２２０における第２円筒部２２１の外径Ｃ３、第２先端部２２２の外径Ｃ４；図４参照）よりも、覆い部材１３０の内周面の直径を小さくしている。これにより、管状部材２００の先端部（この例では、第２延伸部２２０の先端部）に覆い部材１３０が取り付けられると、覆い部材１３０の周方向に沿って覆い部材１３０が伸長する。また、伸長した状態の覆い部材１３０が、管状部材２００の外周面に密着するようになる。
【００５０】
また、本実施形態では、覆い部材１３０の先端部側（入口側開口１３２が設けられている側）まで、管状部材２００が達しうる構造となっている。このため、覆い部材１３０に対する管状部材２００の挿入を予め定められた箇所まで行うと、覆い部材１３０に設けられた規制部４００に対し、管状部材２００の端部（この例では、第２延伸部２２０の先端部）が突き当たるようになる。これにより、管状部材２００の先端部にて、覆い部材１３０の位置決めがなされるようになる。
【００５１】
ここで、規制部４００が設けられておらず、管状部材２００の先端部がいずれにも突き当たらない場合は、管状部材２００の先端部が入口側開口１３２から突出し、管状部材２００の先端部が露出するおそれがある。また、管状部材２００の先端部が何れにも突き当たらない場合、覆い部材１３０に対する管状部材２００の挿入が不十分になることも起こりうる。係る場合、管状部材２００からの覆い部材１３０の脱落が生じやすくなる。
【００５２】
さらにまた、上述したように、本実施形態の管状部材２００では、第２延伸部２２０における第２先端部２２２に、第２円筒部２２１側から第２開口２２５に向かうにつれてその外径が小さくなるようにテーパが付与されている。
これにより、管状部材２００に対して覆い部材１３０を取り付けるに際して、本構成を採用しない場合と比較して、覆い部材１３０の排出用開口１３５に対して管状部材２００の第２延伸部２２０を挿入しやすくなっている。
【００５３】
また、一般に、診療中等において管状部材２００に対する覆い部材１３０の向きを変更する場合がある。このような場合においても、第２延伸部２２０における第２先端部２２２に上述したようなテーパが付与されることで、本構成を有しない場合と比較して、管状部材２００に対して覆い部材１３０を回転させやすくなっている。これにより、管状部材２００に対する覆い部材１３０の向きを変更させやすくなり、本構成を採用しない場合と比較して、サクションシリンジ１００（図２参照）の操作性を向上させることができる。
【００５４】
なお、上述した例では、管状部材２００の第１延伸部２１０側を把持部材１１０に挿入するとともに第２延伸部２２０側に覆い部材１３０を取り付ける場合について説明したが、管状部材２００の第２延伸部２２０側を把持部材１１０に挿入するとともに第１延伸部２１０側に覆い部材１３０を取り付ける場合についても、同様に行うことができ、同様の効果を奏する。
【００５５】
続いて、把持部材１１０に対して管状部材２００を取り付けるとともに、管状部材２００に対して覆い部材１３０を取り付けた際のサクションシリンジ１００の全体形状について説明する。
図７は、サクションシリンジ１００の全体形状を説明するための図である。図７（ａ）は、管状部材２００における第１延伸部２１０側を把持部材１１０に取り付けるとともに、管状部材２００における第２延伸部２２０側に覆い部材１３０を取り付けた状態を示している。また、図７（ｂ）は、管状部材２００における第２延伸部２２０側を把持部材１１０に取り付けるとともに、管状部材２００における第１延伸部２１０側に覆い部材１３０を取り付けた状態を示している。
なお、以下の説明において、図７（ａ）に示す状態を第１の状態と呼び、図７（ｂ）に示す状態を第２の状態と呼ぶ場合がある。
【００５６】
本実施形態のサクションシリンジ１００では、図７（ａ）（ｂ）に示すように、第１の状態と第２の状態とで、把持部材１１０から管状部材２００における曲げ加工部２５０までの距離、および管状部材２００における曲げ加工部２５０から覆い部材１３０までの距離が異なっている。すなわち、図７（ａ）に示す第１の状態では、図７（ｂ）に示す第２の状態と比較して、把持部材１１０から管状部材２００における曲げ加工部２５０までの距離が長くなっており、また管状部材２００における曲げ加工部２５０から覆い部材１３０までの距離が短くなっている。
これにより、本実施形態のサクションシリンジ１００は、第１の状態と第２の状態とで、その全体形状が異なることになる。
【００５７】
このような構成を有することで、本実施形態においては、把持部材１１０に対して挿入する管状部材２００の向きを変えることにより、例えば患者の体格や治療部位、治療方法、使用用途等に応じて、サクションシリンジ１００の全体形状を異ならせることができる。すなわち、本実施形態の管状部材２００を用いることにより、形状の異なる複数の管状部材を用意することなく、サクションシリンジ１００について２種類の形状を実現することが可能になっている。
【００５８】
ここで、本実施形態のサクションシリンジ１００では、上記のとおり、固形物の吸引を抑制するために覆い部材１３０に規制部４００を設けている。なお、固形物の吸引を抑制するためには、例えば覆い部材１３０ではなく、管状部材２００に規制部４００を設けることも考えられる。しかし、これは以下の理由により好ましくない。
【００５９】
本実施形態の管状部材２００は、上述したように、把持部材１１０に対して第１延伸部２１０側と第２延伸部２２０側との双方を挿入することが可能に構成されている。第１延伸部２１０側を把持部材１１０に対して挿入した第１の状態（図７（ａ）参照）では、第２延伸部２２０側から廃液を吸引することになるため、固形物の吸引を抑制するためには、第２延伸部２２０側に規制部４００を設ける必要がある。これに対し、第２延伸部２２０側を把持部材１１０に対して挿入した第２の状態（図７（ｂ）参照）では、第１延伸部２１０側から廃液を吸引することになるため、固形物の吸引を抑制するためには、第１延伸部２１０側に規制部４００を設ける必要がある。
すなわち、覆い部材１３０ではなく管状部材２００に規制部４００を設けることで固形物の吸引を抑制するためには、管状部材２００の両端（第１延伸部２１０側と第２延伸部２２０側との双方）に、規制部４００を設ける必要がある。
【００６０】
ところで、管状部材２００に規制部４００を設けた場合には、廃液中に含まれる固形物が管状部材２００の規制部４００に引っかかることで、固形物の吸引が抑制される。しかし、廃液に含まれる固形物の吸引を規制部４００により完全に防止できるわけではなく、例えば小さい固形物等については、引っかからずに規制部４００を通過する場合もある。
ここで、上述の第１の状態において管状部材２００の第２延伸部２２０側から廃液の吸引を行うに際し、固形物が第２延伸部２２０側に設けられた規制部４００に引っかからずに通過した場合、固形物は、管状部材２００の内部に浸入する。そして、この固形物は、廃液の吸引に伴って管状部材２００内を吸引方向下流側に移動し、第１延伸部２１０側に設けられた規制部４００に到達することになる。
【００６１】
規制部４００に到達した固形物の一部は、規制部４００を通過してさらに下流側に吸引される一方、固形物の他の一部は、管状部材２００の内側から規制部４００に引っかかることで吸引が抑制されて、管状部材２００の内部に留まることになる。
この結果、管状部材２００の両端に規制部４００を設けた場合には、廃液の吸引を繰り返し行うことで、管状部材２００の内側から規制部４００に引っかかる固形物が増え、管状部材２００の内部に固形物が溜まっていくことになる。そして、管状部材２００の内部に固形物が溜まった場合には、固形物により廃液の吸引が妨げられるおそれがある。
なお、第２の状態において管状部材２００の第１延伸部２１０側から廃液の吸引を行った場合にも、同様の問題を生じうる。
【００６２】
また、通常、規制部４００に引っかかった固形物等は、ブラシ等で擦ることで取り除く。管状部材２００に規制部４００を設けた場合に、固形物が管状部材２００の外側から規制部４００に引っかかった場合には、固形物は外部に露出することになるため、容易に取り除くことができる。しかし、上述したように、固形物が管状部材２００の内側から規制部４００に引っかかった場合、固形物は管状部材２００の内部に存在するため、取り除くことが難しい。また、管状部材２００の両端部に規制部４００を設けているため、ブラシ等を管状部材２００の端部から挿入することも困難である。
【００６３】
以上説明したように、本実施形態のように把持部材１１０に対して第１延伸部２１０側と第２延伸部２２０側との双方を挿入することが可能な構成において、管状部材２００に規制部４００を設ける場合には、管状部材２００の両端に規制部４００を設ける必要がある。しかし、その場合には管状部材２００の内部に固形物等が溜まりやすくなり、また溜まった固形物が管状部材２００から取り除きにくいという問題が生じる。
【００６４】
したがって、本実施形態では、管状部材２００ではなく覆い部材１３０に規制部４００を設けている。
上述したように本実施形態では、覆い部材１３０を管状部材２００の第１延伸部２１０側と第２延伸部２２０側との各々に取り付けることが可能である。これにより、把持部材１１０に挿入する管状部材２００の向きに合わせて、把持部材１１０に挿入した側とは反対側の端部に覆い部材１３０を取り付けることで、管状部材２００に規制部４００を設けない場合であっても、固形物の吸引を抑制することが可能となっている。
【００６５】
続いて、管状部材２００の他の構成例について説明する。
図８は、管状部材２００の他の構成例を示した図である。なお、図８において図３に示した管状部材２００と同様の構成については同様の符号を付し、ここではその詳細な説明は省略する。
図８（ａ）に示す管状部材２００は、上述の図３に示した管状部材２００と異なり、曲げ加工部２５０から第１延伸部２１０における第１開口２１５までの長さＤ１と、曲げ加工部２５０から第２延伸部２２０における第２開口２２５までの長さＤ２とが等しく形成されている（Ｄ１＝Ｄ２）。
【００６６】
なお、図８（ａ）に示す例においても、第１延伸部２１０における第１先端部２１２と第２延伸部２２０における第２先端部２２２とに対して、テーパが付与されている。そして、第１延伸部２１０における第１先端部２１２と第２延伸部２２０における第２先端部２２２とは、等しい形状を有している。
これにより、図８（ａ）に示す管状部材２００においても、把持部材１１０に対して第１延伸部２１０側と第２延伸部２２０側との双方を挿入することが可能となっている。また、第１延伸部２１０側と第２延伸部２２０側との双方に対して、覆い部材１３０を取り付けることが可能になっている。
【００６７】
ここで、図８（ａ）に示した管状部材２００では、上述したように、曲げ加工部２５０から第１延伸部２１０における第１開口２１５までの長さＤ１と、曲げ加工部２５０から第２延伸部２２０における第２開口２２５までの長さＤ２とが等しく形成される。このため、第１延伸部２１０側を把持部材１１０（図２参照）に挿入し且つ第２延伸部２２０側に覆い部材１３０（図２参照）を取り付けた状態（第１の状態）と、第２延伸部２２０側を把持部材１１０に挿入し且つ第１延伸部２１０側に覆い部材１３０を取り付けた状態（第２の状態）とで、サクションシリンジ１００（図２参照）の全体形状が等しくなる。
【００６８】
続いて、図８（ｂ）に示す管状部材２００は、上述の図３に示した管状部材２００と異なり、曲げ加工部２５０（図３参照）を有しておらず、一端から他端に向かって一直線に延びている。なお、図８（ｂ）では、管状部材２００における中央部から一端側に延びる部分を第１延伸部２１０とし、中央部から他端側に延びる部分を第２延伸部２２０としている。
【００６９】
ここで、図８（ｂ）に示す例においても、第１延伸部２１０における第１先端部２１２と第２延伸部２２０における第２先端部２２２とに対して、テーパが付与されている。そして、第１延伸部２１０における第１先端部２１２と第２延伸部２２０における第２先端部２２２とは等しい形状を有している。
これにより、図８（ｂ）に示す管状部材２００においても、把持部材１１０に対して第１延伸部２１０側と第２延伸部２２０側との双方を挿入することが可能になっている。また、第１延伸部２１０側と第２延伸部２２０側との双方に対して、覆い部材１３０を取り付けることが可能になっている。
【００７０】
ここで上述したように、図８（ｂ）に示した管状部材２００は、曲げ加工部２５０を有しておらず、直線状に延びた形状を有している。この結果、図８（ｂ）に示した管状部材２００では、第１延伸部２１０側（一端側）を把持部材１１０（図２参照）に挿入し且つ第２延伸部２２０側（他端側）に覆い部材１３０（図２参照）を取り付けた状態（第１の状態）と、第２延伸部２２０側（他端側）を把持部材１１０に挿入し且つ第１延伸部２１０側（一端側）に覆い部材１３０を取り付けた状態（第２の状態）とで、サクションシリンジ１００（図２参照）の全体形状が等しくなる。
【００７１】
これにより、図８（ａ）および（ｂ）に示した例では、例えば管状部材２００を把持部材１１０に対して挿入する際に、第１延伸部２１０側を挿入するか第２延伸部２２０側を挿入するかについて考慮する必要がなくなる。この結果、管状部材２００を把持部材１１０に対して挿入する場合において、管状部材２００の向きを確認し、また管状部材２００の向きを修正するという手順を省略することができる。これにより、本構成を有しない場合と比較して、管状部材２００を把持部材１１０に挿入する作業を容易に行うことが可能になる。
【００７２】
なお、本実施形態の管状部材２００では、第１延伸部２１０の第１先端部２１２の形状と、第２延伸部２２０の第２先端部２２２の形状とが等しくなるように構成した。しかし、例えば管状部材２００において、把持部材１１０に対して第１延伸部２１０側と第２延伸部２２０側との双方を挿入することが可能であり、且つ第１延伸部２１０側と第２延伸部２２０側との双方に対して覆い部材１３０を取り付けることが可能であれば、第１先端部２１２と第２先端部２２２との形状は、完全に一致していなくても構わない。
また、上述した例では、覆い部材１３０が規制部４００を有する場合について説明したが、臨床上の都合により、例えば廃液に固形物が含まれるおそれがない場合や固形物を吸引しても構わない場合には、規制部４００を有さない覆い部材１３０を用いても構わない。
【符号の説明】
【００７３】
５…供給装置、１００…サクションシリンジ、１１０…把持部材、１３０…覆い部材、２００…管状部材、２１０…第１延伸部、２１１…第１円筒部、２１２…第１先端部、２１５…第１開口部、２２０…第２延伸部、２２１…第２円筒部、２２２…第２先端部、２２５…第２開口部、４００…規制部
【図１】
2014226224.tif 000003
【図２】
2014226224.tif 000004
【図３】
2014226224.tif 000005
【図４】
2014226224.tif 000006
【図５】
2014226224.tif 000007
【図６】
2014226224.tif 000008
【図７】
2014226224.tif 000009
【図８】
2014226224.tif 000010